(57)【特許請求の範囲】
【請求項１】
導光板の出射面と反対側の面に対向するように反射シートを配置し、導光板の入射面に対向するように光源を配置し、この光源を収容するランプリフレクターの開口部で、前記導光板の出射面と前記反射シートとを挟持するようにした面光源装置において、
前記ランプリフレクターと前記反射シートの接触部の少なくとも一方に低摩擦材料を固着したことを特徴とする面光源装置。
【請求項２】
請求項１の面光源装置と、この面光源装置の導光板の出射面側に配置される画像表示部とを備え、面光源装置から出射される面状の光で画像表示部が照明されることを特徴とする画像表示装置。
【発明の詳細な説明】
【０００１】
【発明の属する技術分野】
この発明は、携帯型パソコン，ナビゲーション装置，各種モニター等に使用される液晶表示パネル等の画像表示部を面状に照明する面光源装置及びこの面光源装置を備えた画像表示装置に関するものである。
【０００２】
【従来の技術】
例えば、画像表示装置としての液晶表示装置は、携帯型パソコン等に使用され、面光源装置から出射される面状の照明光を液晶表示パネル（画像表示部）に照射し、液晶表示パネルの表面上に画像を表示させるようになっている。
【０００３】
図４は、このような液晶表示装置３０に使用される面光源装置３１の断面図である。この図４に示すように、面光源装置３１は、導光板４の入射面１０に対向するように光源としての蛍光ランプ１１を配置し、導光板４の出射面２０と反対側の面（下面２１）に反射シート３を配置してある。そして、この面光源装置３１は、蛍光ランプ１１を囲むように形成されたランプリフレクター１２の開口部２２ａ，２５ａで導光板４の出射面２０と反射シート３の下面１８を挟持し、導光板４の出射面２０とランプリフレクター１２の間から外部に光が漏れるのを防止して、蛍光ランプ１１近傍からの出射光の異常発光を防止するようになっている。
【０００４】
【発明が解決しようとする課題】
このような面光源装置３１は、蛍光ランプ１１の点灯時において、導光板４及び反射シート３が蛍光ランプ１１の熱で加熱され、導光板４及び反射シート３が熱膨張する。したがって、ランプリフレクター１２の導光板４及び反射シート３を挟持する力が大きいと、反射シート３とランプリフレクター１２との接触部に生じる摩擦力で反射シート３の熱膨張が阻止される。特に、反射シート３とランプリフレクター１２との接触部は蛍光ランプ１１に近く、蛍光ランプ１１からの熱の影響を受けやすい。その結果、反射シート３は、導光板４の下面２１側でシワを生じることがある。そして、反射シート３にシワが発生すると、導光板４の出射面２０からの出射光に反射シート３のシワに起因する輝度のバラツキを生じ、液晶表示パネル１３の表示画像が見にくくなるという問題が生じる。
【０００５】
また、ランプリフレクター１２によって押圧された状態で反射シート３の熱膨張による伸びが生じると、ランプリフレクター１２の開口部２２ａ先端のエッジ部が反射シート３にくい込む等して、反射シート３に傷がついてしまう虞もある。そして、このような傷は反射シート３の部分的な反射率の変化を招き、これによって輝度のバラツキが生じてしまうことがある。
【０００６】
そこで、本発明は、反射シートに熱膨張に起因するシワが生じるのを効果的に防止することにより、面光源装置による均一な面照明を可能にし、画像表示部の表示画像を見やすくすることを目的とする。
【０００７】
【課題を解決するための手段】
本発明の面光源装置は、導光板の出射面と反対側の面に対向するように反射シートを配置し、導光板の入射面に対向するように光源を配置し、この光源を収容するランプリフレクターの開口部で、前記導光板の出射面と前記反射シートとを挟持するようになっている。そして、この面光源装置は、前記ランプリフレクターと前記反射シートの接触部の少なくとも一方に低摩擦材料を固着したことを特徴としている。
【０００８】
本発明の画像表示装置は、上記面光源装置と、上記面光源装置の導光板の出射面側に配置される画像表示部とを備え、面光源装置から出射される面状の光で画像表示部が照明されることを特徴としている。
【０００９】
【発明の実施の形態】
以下、本発明の実施の形態を図面に基づき詳述する。
【００１０】
図１〜図２は、本発明の実施の形態に係る面光源装置を示すものである。なお、図１は面光源装置の分解斜視図であり、図２は図１のＡ−Ａ線に沿って切断して示す面光源装置の断面図である。また、図３は、図２の一部を拡大して示す断面図である。
【００１１】
（面光源装置の概略構成）
これらの図に示すように、面光源装置１は、構成部品を収容又は固定するフレーム２と、このフレーム２内に順次重ねて収容される反射シート３，導光板４及び第１〜第４の光制御部材５〜８と、導光板４の入射面１０に対向するようにフレーム２内に収容される蛍光ランプ（光源）１１と、この蛍光ランプ１１の光を反射して前記導光板４の入射面１０へ導くランプリフレクター１２とを備えている。なお、図２に示すように、第４の光制御部材８の上方に画像表示部としての液晶表示パネル１３を配置することにより、画像表示装置としての液晶表示装置１４が構成される。
【００１２】
（フレーム）
このうち、フレーム２は、ＰＣ（ポリカーボネート）やＰＭＭＡ（ポリメタクリル酸メチル）等に白色の顔料を混練してなる合成樹脂を射出成形することにより略矩形形状に形成されており、上記反射シート３，導光板４及び第１〜第４の光制御部材５〜８を収容支持すると共に蛍光ランプ１１を収容したランプリフレクター１２を取り付ける第１収容部１５と、液晶表示パネル１３を最上部の第４の光制御部材８の表面に対して僅かな隙間をもって収容支持する第２収容部１６とが形成されている。なお、フレーム２の底面１７は、ランプリフレクターとともに反射シート３の下面１８を支持するようになっている。
【００１３】
（光制御部材）
第１の光制御部材５は、導光板４の出射面２０に対向するように配置される光拡散シートであり、導光板４の出射面２０から出射する光を拡散させるようになっている。第２の光制御部材６は、第１の光制御部材５の上面に重ねて配置された第１プリズムシートであり、その上面側に断面略三角形状のプリズムが導光板４の入射面１０と略平行するように連続して多数形成されており、第１の光制御部材５から出射した光のうちで導光板４の入射面１０及び出射面２０に直交する面内の光成分を導光板４の出射面２０の法線方向に集光するようになっている。また、第３の光制御部材７は、第２の光制御部材６の上面に重ねて配置された第２プリズムシートであり、その上面側に断面略三角形状のプリズムが導光板４の入射面１０に略直交するように連続して多数形成されており、第２の光制御部材６を通過した光のうちで導光板４の入射面１０に平行で且つ導光板４の出射面２０に直交する面内の光成分を導光板４の出射面２０の法線方向に集光するようになっている。第４の光制御部材８は、光拡散機能を備えた保護シートであり、他の光制御部材５，６，７の損傷を防止すると共に、第２及び第３の光制御部材６，７によって集光された光を僅かに拡散して、液晶表示パネル１３を見る人の視野角を拡げるようになっている。
【００１４】
これら第１〜第４の光制御部材５〜８は、図１及び図３に示すように、光透過性に優れた樹脂材料（例えば、ＰＥＴ（ポリエチレンテレフタレート））で形成されており、導光板４の出射面３３に対応するような略矩形形状で、且つ、蛍光ランプ１１に沿う方向（平行な方向であって、図１のＸ軸方向）の長さが蛍光ランプ１１に直交する方向（図１のＹ軸方向）の長さよりも大きくなるように形成されている。
【００１５】
（導光板）
導光板４は、ＰＣ，ＰＭＭＡ，シクロオレフィン系樹脂等の光透過性に優れた樹脂材料により形成されており、図１及び図２に示すように、蛍光ランプ１１に直交する方向の断面形状が蛍光ランプ１１から遠ざかるに従って薄くなるような楔形形状を呈し、出射面（上面）２０の形状が略矩形形状を呈するようになっている。この導光板４は、入射面１０から内部に入射した蛍光ランプ１１からの光が導光板４内部を伝播し、その伝播の過程において出射面２０に対して臨界角以下の角度で入射する光を出射面２０から出射するようになっている。尚、導光板４の出射面２０から光を出射させるための手段については、従来より種々のもの（例えば、導光板４の出射面２０と反対側の面（下面２１）に光を散乱させるドットパターンや梨地面を形成した技術）が知られており、これらのものから適宜選択して採用することができる。
【００１６】
（反射シート）
反射シート３は、光反射性に優れた樹脂材料（たとえば、白色ＰＥＴ）でシート状に形成されたものであり、導光板４の下面２１に対応するような矩形形状を呈し、導光板４の下面２１から出射した光を反射して導光板４内部に戻すように機能する。この反射シート３は、フレーム２の第１収容部１５の底面１７及びランプリフレクター１２の下面壁２２で支持されるようになっている。そして、反射シートは、ランプリフレクター１２の下面壁２２と接触する部分に、ランプリフレクター１２と反射シート３よりも摩擦係数の小さな低摩擦材料（例えば、フッ素系樹脂）２３の被膜が形成されている。その結果、反射シート３がランプリフレクター１２の下面壁２２の開口部２２ａによって導光板４へ押圧されていても、反射シート３が蛍光ランプ１１の熱を受けると、反射シート３がランプリフレクター１２と導光板４との間をすべって熱膨張する。したがって、反射シート３は、ランプリフレクター１２によって熱膨張が阻止されることに起因するシワを生じることがない。なお、低摩擦材料２３は、反射シート３に直接的に印刷や塗布することにより固着され、また、予め被膜層が形成されたテープを反射シート３に貼着することにより、反射シート３に間接的に固着するようにしてもよい。
【００１７】
（ランプリフレクター）
ランプリフレクター１２は、蛍光ランプ１１の光を反射して導光板４の入射面１０側に導くことができるように、薄板状の金属を折り曲げることにより、蛍光ランプ１１を囲むような断面略コ字形状に形成されている。そして、このランプリフレクター１２の立ち上がり壁２４及び上面壁２５がフレーム２内に収容され、このランプリフレクター１２の下面壁２２がねじ２６でフレーム２のランプリフレクター固定部２７に固定されるようになっている。また、ランプリフレクター１２は、その上面壁２５と下面壁２２の開口部２５ａ，２２ａで導光板４の出射面２０と反射シート３の下面１８を挟持するようになっている。これにより、ランプリフレクター１２と導光板４の出射面２０との間から光が漏れることを防止でき、導光板４からの出射光が蛍光ランプ１１の近傍部分で異常発光するのを防止することができる。
【００１８】
（本実施の形態の作用・効果）
以上のように本実施の形態に係る面光源装置１は、反射シート３のランプリフレクター１２との接触部に低摩擦材料の被膜を形成してあるため、ランプリフレクター１２の開口部２２ａ，２５ａが導光板４と反射シート３を挟持する力が大きくても、蛍光ランプ１１点灯時における反射シート３の熱膨張を可能にし、反射シート３にシワが生じるようなことがない。その結果、本実施の形態に係る面光源装置１は、反射シート３のシワに起因する輝度ムラを生じることがなく、液晶表示パネル１３の表示画像が見やすくなる。
【００１９】
（本実施の形態の変形例）
なお、上記実施の形態において、低摩擦材料２３は、反射シート３の下面１８のランプリフレクター１２との接触部に固着されるようになっているが、これに限られず、ランプリフレクター１２の反射シート３との接触部に固着してもよく、また、反射シート３及びランプリフレクター１２の接触部に固着してもよい。このようにすれば、低摩擦材料２３が反射シート３の下面１８側に位置しているため、反射シート３の光の反射機能に悪影響を与えることがない。さらに、低摩擦材料２３は、反射シート３と導光板４の少なくとも一方にも固着させるようにしてもよい。ただし、反射シート３の導光板４に対向する面や、導光板４の反射シート３に対向する面（下面２１）に低摩擦材料２３を固着する場合には、反射シート３の光反射機能に悪影響が生じないように、低摩擦材料２３の色を反射シート３と同様にすることが好ましい。加えて、反射シート３の導光板４に対向する面や、導光板４の反射シート３に対向する面（下面２１）に低摩擦材料２３を固着する場合には、低摩擦材料２３に光散乱物質を添加したり、低摩擦材料２３に光吸収物質を添加するようにし、出射光輝度のより一層の均一化を図るようにしてもよい。
【００２０】
また、本実施の形態に係る面光源装置１は、第１〜第４の光制御部材５〜８を使用する態様を例示したが、これに限られるものではなく、導光板４の下面２１に導光板４の入射面１０に略直交する方向へ延びるプリズムを多数形成し、このプリズムに対して略直交する方向に延びるプリズムを備えた光制御部材（プリズムシート）を導光板４の出射面２０側に配置するように構成してもよい。
【００２１】
また、本実施の形態において、導光板４は、図１〜図３に示したように、断面形状が略楔形形状のものを例示したが、これに限られず、断面形状が矩形形状やその他の形状のものでもよい。
【００２２】
また、本実施の形態において、蛍光ランプ１１は、導光板４の入射面１０に対向するように配置される態様を例示したが、これに限られず、導光板４の複数の側面に対向するように配置してもよい。
【００２３】
【発明の効果】
以上のように、本発明は、反射シートとランプリフレクターの接触部の少なくとも一方に低摩擦材料を固着してあるため、ランプリフレクターの開口部が導光板と反射シートを挟持する力が大きくても、蛍光ランプ点灯時における反射シートの熱膨張を可能にし、反射シートにシワが生じるようなことがない。その結果、本発明によれば、反射シートのシワに起因する輝度ムラを生じることがなく、画像表示部の表示画像が見やすくなる。
【図面の簡単な説明】
【図１】本発明の実施の形態に係る面光源装置の分解斜視図である。
【図２】図１のＡ−Ａ線に沿って切断して示す面光源装置の断面図である。
【図３】図２の左端部側の拡大断面図である。
【図４】従来の面光源装置の断面図である。
【符号の説明】
１……面光源装置、３……反射シート、４……導光板、１０……入射面、１１……蛍光ランプ（光源）、１３……液晶表示パネル（画像表示部）、１４……液晶表示装置（画像表示装置）、２０……出射面、２１……下面（反対側の面）、２２ａ，２５ａ……開口部、２３……低摩擦材料
【図１】
0004360478.tif 000002
【図２】
0004360478.tif 000003
【図３】
0004360478.tif 000004
【図４】
0004360478.tif 000005